(57)【要約】【課題】ＨＤＤの寿命を延ばすことが可能な記録再生装置および記録制御方法を提供する。【解決手段】判断部１０ｂ１は、再生Ｒ読出処理部１０ｆにて管理されている再生の実績、つまり、再生実績格納部６ｅに格納されている再生実績情報に基づいて、記録予定の番組が再生される可能性が高いか低いかを判断する。記録先決定部１０ｂ２は、判断部１０ｂ１が記録予定の番組は再生される可能性が高いと判断すると、累積再生時間が最短のＨＤＤを記録先ＨＤＤとし、判断部１０ｂ１が記録予定の番組は再生される可能性が低いと判断すると、累積記録時間が最短のＨＤＤを記録先とする。【選択図】図１
2008090887.tif 000002
【特許請求の範囲】
【請求項１】
複数の記憶部を有し、前記複数の記憶部のいずれかにコンテンツを記録し、前記記憶部に記録されたコンテンツを再生する記録再生装置であって、
前記記憶部ごとに、再生時間を累積した累積再生時間と、記録時間を累積した累積記録時間と、を管理する時間管理部と、
前記記憶部ごとに管理されている累積再生時間および累積記録時間に基づいて、前記複数の記憶部の中から記録されるべき前記コンテンツの記録先となる記憶部を決定する決定部と、
前記記録先として決定された記憶部に前記コンテンツを記録する記録部と、を含む記録再生装置。
【請求項２】
請求項１に記載の記録再生装置において、
前記コンテンツの再生の実績を管理する再生実績管理部をさらに含み、
前記決定部は、
前記再生実績管理部にて管理されている再生の実績に基づいて、前記コンテンツが再生される可能性が高いか低いかを判断する判断部と、
前記判断部の判断結果と、前記記憶部ごとに管理されている累積再生時間および累積記録時間と、に基づいて、前記複数の記憶部の中から前記記録先となる記憶部を決定する記録先決定部と、を含む、記録再生装置。
【請求項３】
請求項２に記載の記録再生装置において、
前記記録先決定部は、前記判断部が前記コンテンツは再生される可能性が高いと判断すると、前記累積再生時間が最短の記憶部を前記記録先とし、前記判断部が前記コンテンツは再生される可能性が低いと判断すると、前記累積記録時間が最短の記憶部を前記記録先とする、記録再生装置。
【請求項４】
請求項２に記載の記録再生装置において、
前記時間管理部は、前記累積再生時間および前記累積記録時間に重み付けをした重み付け累積再生時間および重み付け累積記録時間を管理し、
前記記録先決定部は、前記判断部が前記コンテンツは再生される可能性が高いと判断すると、前記重み付け累積再生時間が最短の記憶部を前記記録先とし、前記判断部が前記コンテンツは再生される可能性が低いと判断すると、前記重み付け累積再生時間と前記重み付け累積記録時間とを前記記憶部ごとに加算した時間が最短の記憶部を前記記録先とする、記録再生装置。
【請求項５】
請求項２に記載の記録再生装置において、
前記時間管理部は、さらに、前記記憶部ごとに、記録中に再生が行われた重複時間を累積した累積重複時間を管理し、
前記記録先決定部は、前記判断部が前記コンテンツは再生される可能性が高いと判断すると、前記累積再生時間が最短の記憶部を前記記録先とし、前記判断部が前記コンテンツは再生される可能性が低いと判断すると、前記記憶部ごとに前記累積再生時間と前記累積記録時間との和から前記累積重複時間を差し引いた時間が、最短となる記憶部を、前記記録先とする、記録再生装置。
【請求項６】
請求項２に記載の記録再生装置において、
前記時間管理部は、前記記憶部ごとに、再生のみの時間を累積した累積再生のみ時間と、記録のみの時間を累積した累積記録のみ時間と、記録と再生が同時に行われた時間を累積した累積重複時間と、に重み付けをした、重み付け累積再生のみ時間、重み付け累積記録のみ時間および重み付け累積重複時間と、前記累積再生時間と、を管理し、
前記記録先決定部は、前記判断部が前記コンテンツは再生される可能性が高いと判断すると、前記累積再生時間が最短の記憶部を前記記録先とし、前記判断部が前記コンテンツは再生される可能性が低いと判断すると、前記記憶部ごとに前記重み付け累積再生のみ時間と前記重み付け累積記録のみ時間と前記重み付け累積重複時間とを加算した時間が、最短の記憶部を前記記録先とする、記録再生装置。
【請求項７】
請求項１に記載の記録再生装置において、
前記時間管理部は、前記累積再生時間および前記累積記録時間に重み付けをした、重み付け累積再生時間および重み付け累積記録時間を管理し、
前記決定部は、前記重み付け累積再生時間と前記重み付け累積記録時間とを前記記憶部ごとに加算した時間が最短の記憶部を前記記録先とする、記録再生装置。
【請求項８】
請求項１に記載の記録再生装置において、
前記時間管理部は、さらに、前記記憶部ごとに、記録中に再生が行われた重複時間を累積した累積重複時間を管理し、
前記決定部は、前記記憶部ごとに前記累積再生時間と前記累積記録時間との和から前記累積重複時間を差し引いた時間が、最短となる記憶部を、前記記録先とする、記録再生装置。
【請求項９】
請求項１に記載の記録再生装置において、
前記時間管理部は、前記記憶部ごとに、再生のみの時間を累積した累積再生のみ時間と、記録のみの時間を累積した累積記録のみ時間と、記録と再生が同時に行われた時間を累積した累積重複時間とに、重み付けをした、重み付け累積再生のみ時間、重み付け累積記録のみ時間および重み付け累積重複時間と、前記累積再生時間と、を管理し、
前記決定部は、前記記憶部ごとに前記重み付け累積再生のみ時間と前記重み付け累積記録のみ時間と前記重み付け累積重複時間とを加算した時間が、最短の記憶部を前記記録先とする、記録再生装置。
【請求項１０】
複数の記憶部を有し、前記複数の記憶部のいずれかにコンテンツを記録し、前記記憶部に記録されたコンテンツを再生する記録再生装置が行う記録制御方法であって、
前記記憶部ごとに、再生時間を累積した累積再生時間と、記録時間を累積した累積記録時間と、を管理する時間管理ステップと、
前記記憶部ごとに管理されている累積再生時間および累積記録時間に基づいて、前記複数の記憶部の中から記録されるべき前記コンテンツの記録先となる記憶部を決定する決定ステップと、
前記記録先として決定された記憶部に前記コンテンツを記録する記録ステップと、を含む記録制御方法。
【請求項１１】
請求項１０に記載の記録制御方法において、
前記コンテンツの再生の実績を管理する再生実績管理ステップをさらに含み、
前記決定ステップは、
前記再生の実績に基づいて、前記コンテンツが再生される可能性が高いか低いかを判断する判断ステップと、
前記判断の結果と、前記記憶部ごとに管理されている累積再生時間および累積記録時間と、に基づいて、前記複数の記憶部の中から前記記録先となる記憶部を決定する記録先決定ステップと、を含む、記録制御方法。
【請求項１２】
請求項１１に記載の記録制御方法において、
前記記録先決定ステップでは、前記コンテンツが再生される可能性が高い場合には、前記累積再生時間が最短の記憶部を前記記録先とし、前記コンテンツが再生される可能性が低い場合には、前記累積記録時間が最短の記憶部を前記記録先とする、記録制御方法。
【請求項１３】
請求項１０に記載の記録制御方法において、
前記時間管理ステップでは、前記累積再生時間および前記累積記録時間に重み付けをした、重み付け累積再生時間および重み付け累積記録時間を管理し、
前記決定ステップは、前記重み付け累積再生時間と前記重み付け累積記録時間とを前記記憶部ごとに加算した時間が最短の記憶部を前記記録先とする、記録制御方法。
【発明の詳細な説明】
【技術分野】
【０００１】
本発明は、記録再生装置および記録制御方法に関し、特には、複数の記憶部と称する。）を備えた記録再生装置および記録制御方法に関する。
【背景技術】
【０００２】
従来、複数の記憶部（例えば、ハードディスク：ＨＤＤ）を備え、各ＨＤＤにビデオ信号を記録する記録再生装置が知られている。
【０００３】
特許文献１（特開２００４−３５５１８８号公報）には、ある一定の期間内では１つのＨＤＤ（主使用ＨＤＤ）が主に使用されるように、複数のＨＤＤの中から主使用ＨＤＤを一定時間間隔で順番に選択する制御装置が記載されている。
【特許文献１】特開２００４−３５５１８８号公報
【発明の開示】
【発明が解決しようとする課題】
【０００４】
ＨＤＤ等の記憶部は、駆動時間が長くなるほど、寿命が短くなる。
【０００５】
特許文献１に記載の制御装置では、主使用ＨＤＤが一定時間間隔で切り換えられる。この場合、各ＨＤＤが一定時間内で実際に駆動される時間が異なると、各ＨＤＤの実駆動時間がばらつき、各ＨＤＤの寿命がばらつく。このため、各ＨＤＤの実駆動時間すなわち各ＨＤＤの寿命を平準化して、ＨＤＤの寿命を延ばすことが困難となる。
【０００６】
本発明の目的は、記憶部の寿命を延ばすことが可能な記録再生装置および記録制御方法を提供することである。
【課題を解決するための手段】
【０００７】
上記目的を達成するために、本発明の記録再生装置は、複数の記憶部を有し、前記複数の記憶部のいずれかにコンテンツを記録し、前記記憶部に記録されたコンテンツを再生する記録再生装置であって、前記記憶部ごとに、再生時間を累積した累積再生時間と、記録時間を累積した累積記録時間と、を管理する時間管理部と、前記記憶部ごとに管理されている累積再生時間および累積記録時間に基づいて、前記複数の記憶部の中から記録されるべき前記コンテンツの記録先となる記憶部を決定する決定部と、前記記録先として決定された記憶部に前記コンテンツを記録する記録部と、を含む。
【０００８】
また、本発明の記録制御方法は、複数の記憶部を有し、前記複数の記憶部のいずれかにコンテンツを記録し、前記記憶部に記録されたコンテンツを再生する記録再生装置が行う記録制御方法であって、前記記憶部ごとに、再生時間を累積した累積再生時間と、記録時間を累積した累積記録時間と、を管理する時間管理ステップと、前記記憶部ごとに管理されている累積再生時間および累積記録時間に基づいて、前記複数の記憶部の中から記録されるべき前記コンテンツの記録先となる記憶部を決定する決定ステップと、前記記録先として決定された記憶部に前記コンテンツを記録する記録ステップと、を含む。
【０００９】
上記発明によれば、記憶部ごとに管理されている累積再生時間および累積記録時間に基づいて、複数の記憶部の中から記録先となる記憶部が決定される。このため、記憶部間の実駆動時間である累積再生時間および累積記録時間を平準化することが可能になる。よって、記憶部間の寿命を平均化し、記憶部の寿命を延ばすことが可能になる。
【００１０】
なお、前記コンテンツの再生の実績を管理する再生実績管理部をさらに含み、前記決定部は、前記再生実績管理部にて管理されている再生の実績に基づいて、前記コンテンツが再生される可能性が高いか低いかを判断する判断部と、前記判断部の判断結果と、前記記憶部ごとに管理されている累積再生時間および累積記録時間と、に基づいて、前記複数の記憶部の中から前記記録先となる記憶部を決定する記録先決定部と、を含むことが望ましい。
【００１１】
上記発明によれば、さらに、記録されるべきコンテンツが再生される可能性が高いか低いかに基づいて、記録先となる記憶部が決定される。このため、例えば、再生される可能性が高いコンテンツが特定の記憶部に集中して記録されることを抑制可能になり、記憶部間の寿命を平均化し、記憶部の寿命を延ばすことが可能になる。
【００１２】
また、前記記録先決定部は、前記判断部が前記コンテンツは再生される可能性が高いと判断すると、前記累積再生時間が最短の記憶部を前記記録先とし、前記判断部が前記コンテンツは再生される可能性が低いと判断すると、前記累積記録時間が最短の記憶部を前記記録先とすることが望ましい。
【００１３】
上記発明によれば、再生される可能性が高いコンテンツは、累積再生時間が最短の記憶部に記録されるため、記憶部間で累積再生時間を平準化することが可能となる。また、再生される可能性が低いコンテンツは、累積記録時間が最短の記憶部に記録されるため、記憶部間で累積記録時間を平準化することが可能となる。
【００１４】
このため、記憶部間の寿命を平準化することが可能となり、記憶部の寿命を延ばすことができる。
【００１５】
また、前記時間管理部は、前記累積再生時間および前記累積記録時間に重み付けをした、重み付け累積再生時間および重み付け累積記録時間を管理し、前記記録先決定部は、前記判断部が前記コンテンツは再生される可能性が高いと判断すると、前記重み付け累積再生時間が最短の記憶部を前記記録先とし、前記判断部が前記コンテンツは再生される可能性が低いと判断すると、前記重み付け累積再生時間と前記重み付け累積記録時間とを前記記憶部ごとに加算した時間が最短の記憶部を前記記録先とすることが望ましい。
【００１６】
上記発明によれば、例えば、累積記録時間および累積再生時間を、記録時と再生時の記憶部の負荷の違いに基づいて重み付けすることができる。この場合、再生される可能性が高いコンテンツは、重み付けされた累積再生時間が最短の記憶部に記録されるため、記憶部間で累積再生時間を平準化することが可能となる。また、再生される可能性が低いコンテンツは、重み付けられた累積再生時間と重み付けされた累積記録時間とを加算した時間が最短、つまり、累積された負荷が最小の記憶部に記録されるため、記憶部間で累積された負荷を平準化することが可能になる。
【００１７】
このため、記憶部間の寿命を平準化することが可能となり、記憶部の寿命を延ばすことができる。
【００１８】
また、前記時間管理部は、さらに、前記記憶部ごとに、記録中に再生が行われた重複時間を累積した累積重複時間を管理し、前記記録先決定部は、前記判断部が前記コンテンツは再生される可能性が高いと判断すると、前記累積再生時間が最短の記憶部を前記記録先とし、前記判断部が前記コンテンツは再生される可能性が低いと判断すると、前記記憶部ごとに前記累積再生時間と前記累積記録時間との和から前記累積重複時間を差し引いた時間が、最短となる記憶部を、前記記録先とすることが望ましい。
【００１９】
上記発明によれば、再生される可能性が高いコンテンツは、累積再生時間が最短の記憶部に記録されるため、記憶部間で累積再生時間を平準化することが可能となる。また、再生される可能性が低いコンテンツは、累積再生時間と累積記録時間との和から累積重複時間を差し引いた時間、つまり、実駆動時間が最短の記憶部に記録されるため、記憶部間で実駆動時間を平準化することが可能となる。
【００２０】
このため、記憶部間の寿命を平準化することが可能となり、記憶部の寿命を延ばすことができる。
【００２１】
また、前記時間管理部は、前記記憶部ごとに、再生のみの時間を累積した累積再生のみ時間と、記録のみの時間を累積した累積記録のみ時間と、記録と再生が同時に行われた時間を累積した累積重複時間と、に重み付けをした、重み付け累積再生のみ時間、重み付け累積記録のみ時間および重み付け累積重複時間と、前記累積再生時間と、を管理し、前記記録先決定部は、前記判断部が前記コンテンツは再生される可能性が高いと判断すると、前記累積再生時間が最短の記憶部を前記記録先とし、前記判断部が前記コンテンツは再生される可能性が低いと判断すると、前記記憶部ごとに前記重み付け累積再生のみ時間と前記重み付け累積記録のみ時間と前記重み付け累積重複時間とを加算した時間が、最短の記憶部を前記記録先とすることが望ましい。
【００２２】
上記発明によれば、例えば、累積記録のみ時間、累積再生のみ時間、および、累積重複時間を、記録時と再生時の記憶部の負荷の違いに基づいて重み付けすることができる。この場合、再生される可能性が高いコンテンツは、累積再生時間が最短の記憶部に記録されるため、記憶部間で累積再生時間を平準化することが可能となる。また、再生される可能性が低いコンテンツは、重み付けられた累積再生のみ時間と重み付けされた累積記録のみ時間と重み付けされた累積重複時間を加算した時間が最短、つまり、累積された負荷が最小の記憶部に記録されるため、記憶部間で累積された負荷を平準化することが可能になる。
【００２３】
このため、記憶部間の寿命を平準化することが可能となり、記憶部の寿命を延ばすことができる。
【００２４】
また、前記時間管理部は、前記累積再生時間および前記累積記録時間に重み付けをした、重み付け累積再生時間および重み付け累積記録時間を管理し、前記決定部は、前記重み付け累積再生時間と前記重み付け累積記録時間とを前記記憶部ごとに加算した時間が最短の記憶部を前記記録先とすることが望ましい。
【００２５】
上記発明によれば、コンテンツは、累積再生時間と累積記録時間との和から累積重複時間を差し引いた時間、つまり、実駆動時間が最短の記憶部に記録されるため、記憶部間で実駆動時間を平準化することが可能となる。
【００２６】
このため、記憶部間の寿命を平準化することが可能となり、記憶部の寿命を延ばすことができる。
【００２７】
また、前記時間管理部は、さらに、前記記憶部ごとに、記録中に再生が行われた重複時間を累積した累積重複時間を管理し、前記決定部は、前記記憶部ごとに前記累積再生時間と前記累積記録時間との和から前記累積重複時間を差し引いた時間が、最短となる記憶部を前記記録先とすることが望ましい。
【００２８】
上記発明によれば、例えば、累積記録時間および累積再生時間を、記録時と再生時のハードディスクの負荷の違いに基づいて重み付けすることができる。この場合、コンテンツは、重み付けられた累積再生時間と重み付けされた累積記録時間とを加算した時間が最短、つまり、累積された負荷が最小の記憶部に記録されるため、記憶部間で累積された負荷を平準化することが可能になる。
【００２９】
このため、記憶部間の寿命を平準化することが可能となり、記憶部の寿命を延ばすことができる。
【００３０】
また、前記時間管理部は、前記記憶部ごとに、再生のみの時間を累積した累積再生のみ時間と、記録のみの時間を累積した累積記録のみ時間と、記録と再生が同時に行われた時間を累積した累積重複時間とに、重み付けをした、重み付け累積再生のみ時間、重み付け累積記録のみ時間および重み付け累積重複時間と、を管理し、前記決定部は、前記記憶部ごとに前記重み付け累積再生のみ時間と前記重み付け累積記録のみ時間と前記重み付け累積重複時間とを加算した時間が、最短の記憶部を前記記録先とすることが望ましい。
【００３１】
上記発明によれば、例えば、累積記録のみ時間、累積再生のみ時間、および、累積重複時間を、記録時と再生時の記憶部の負荷の違いに基づいて重み付けすることができる。この場合、コンテンツは、重み付けられた累積再生のみ時間と重み付けされた累積記録のみ時間と重み付けされた累積重複時間を加算した時間が最短、つまり、累積された負荷が最小の記憶部に記録されるため、記憶部間で累積された負荷を平準化することが可能になる。
【００３２】
このため、記憶部間の寿命を平準化することが可能となり、記憶部の寿命を延ばすことができる。
【発明の効果】
【００３３】
本発明によれば、記憶部の寿命を延ばすことが可能になる。
【発明を実施するための最良の形態】
【００３４】
以下、本発明の実施例を図面を参照して説明する。
【００３５】
（第１実施例）
図１は、本発明の第１実施例の記録再生装置を示したブロック図である。
【００３６】
図１において、記録再生装置１００は、複数のＨＤＤ１ないし３、ＴＶチューナー４、エンコーダ５、メモリ６、チップセット７、操作入力部８、タイマー９、ＣＰＵ１０、および、デコーダ１１を有する。
【００３７】
メモリ６は、録画用ＡＶストリームデータ格納部６ａ、再生用ＡＶストリームデータ格納部６ｂ、再生Ｒ録画Ｗ累積時間情報格納部６ｃ、録画情報格納部６ｄ、および、再生実績格納部６ｅを含む。
【００３８】
ここで、再生Ｒとは、ＨＤＤに記録しているコンテンツの再生、すなわち、ＨＤＤからの記録データをリード（Ｒ）することで、また、録画Ｗとは、ＨＤＤへコンテンツを録画、すなわち、ＨＤＤへ記録データをライト（Ｗ）することを意味する。
【００３９】
ＣＰＵ１０は、ＨＤＤ録画情報処理部１０ａ、ＨＤＤ決定処理部１０ｂ、ＨＤＤ切替処理部１０ｃ、録画Ｗ書込処理部１０ｄ、録画Ｗ時間処理部１０ｅ、再生Ｒ読出処理部１０ｆ、および、再生Ｒ時間処理部１０ｇを含む。なお、ＨＤＤ切替処理部１０ｃ、録画Ｗ書込処理部１０ｄ、および、再生Ｒ読出処理部１０ｆで、ファイルシステム１０ｈを構成する。
【００４０】
ＨＤＤ決定処理部１０ｂは、判断部１０ｂ１、および、記録先決定部１０ｂ２を含む。
【００４１】
記録再生装置１００は、複数のＨＤＤ１ないし３のいずれかに、コンテンツの一例であるＴＶ番組（以下「番組」と称する。）を記録し、また、ＨＤＤ１ないし３のいずれかに記録された番組をＴＶ１２に再生する。
【００４２】
ＨＤＤ１ないし３は、記憶部の一例である。ＨＤＤ１ないし３のそれぞれには、番組が記録される。
【００４３】
ＴＶチューナー４は、空間伝送または信号線により外部から提供された番組を受け付ける。例えば、ＴＶチューナー４は、放送局から提供された番組を２４時間受け付ける。なお、番組は、映像信号および音声信号を有する。
【００４４】
エンコーダ５は、ＴＶチューナー４にて受け付けられた番組（映像信号および音声信号）を圧縮してＡＶストリームデータを生成する。
【００４５】
なお、ＴＶデジタル放送の場合は、ＴＶチューナー４から、エンコード（圧縮）されたＡＶストリームデータが直接出力されるため、ＴＶチューナー４の出力は、エンコーダ５を介さずに、チップセット７にデータ転送される。
【００４６】
メモリ６は、種々の情報を格納する。
【００４７】
録画用ＡＶストリームデータ格納部６ａは、エンコーダ５にて生成されたＡＶストリームデータ（番組）を一旦格納する。録画用ＡＶストリームデータ格納部６ａ内のＡＶストリームデータは、ＨＤＤ１ないし３のいずれかに記録される。
【００４８】
再生用ＡＶストリームデータ格納部６ｂは、ＨＤＤ１ないし３のいずれかから読み出されたＡＶストリームデータ（番組）を一旦格納する。再生用ＡＶストリームデータ格納部６ｂ内のＡＶストリームデータは、デコーダ１１によって伸張されて映像信号および音声信号になり、その映像信号に応じた映像と、その音声信号に応じた音声が、ＴＶ１２から出力される。
【００４９】
再生Ｒ録画Ｗ累積時間情報格納部６ｃは、ＨＤＤ１ないし３ごとに、番組の再生時間を累積した累積再生時間と、番組の記録時間を累積した累積記録時間と、をＨＤＤ１ないし３から読み出して一旦格納する。例えば、チップセット７は、電源投入時に、ＨＤＤ１ないし３から累積再生時間および累積記録時間を読み出して再生Ｒ録画Ｗ累積時間情報格納部６ｃに格納する。
【００５０】
なお、累積再生時間および累積記録時間の読出し先の記憶装置として、ＡＶストリームデータを記録するＨＤＤ１ないし３とは異なるＨＤＤを用いてもよい。
【００５１】
図２は、再生Ｒ録画Ｗ累積時間情報格納部６ｃに格納された累積再生時間６ｃ１および累積記録時間６ｃ２の一例を示した説明図である。
【００５２】
図１に戻って、録画情報格納部６ｄは、ＨＤＤ１ないし３のいずれかに記録された番組に関する録画情報と、その録画情報にて特定される番組が記録されたＨＤＤを示す記録先ＨＤＤ情報と、をＨＤＤ１ないし３のいずれかから読み出して一旦格納する。
【００５３】
なお、録画情報および記録先ＨＤＤ情報の読出し先の記憶装置として、ＡＶストリームデータを記録するＨＤＤ１ないし３とは異なるＨＤＤを用いてもよい。
【００５４】
また、録画情報は、例えば、放送チャンネル、放送時刻（放送時間帯）、放送日、および、番組タイトルを含み、例えば、ＴＶチューナー４が受信するＥＰＧから取得される。
【００５５】
図３は、録画情報格納部６ｄに格納された情報の一例を示した説明図である。図３において、録画情報格納部６ｄには、ＨＤＤ１ないし３のいずれかに記録された番組ごとに、録画情報６ｄ１、および、記録先ＨＤＤ情報６ｄ２が格納される。
【００５６】
図１に戻って、再生実績格納部６ｅは、番組の再生の実績を表す再生実績情報を、ＨＤＤ１ないし３のいずれかから読み出して一旦格納する。
【００５７】
なお、再生実績情報の読出し先の記憶装置として、ＡＶストリームデータを記録するＨＤＤ１ないし３とは異なるＨＤＤを用いてもよい。
【００５８】
図４は、再生実績格納部６ｅに格納された再生実績情報の一例（再生された番組の番組情報を示した再生番組情報リスト６ｅ１）を示した説明図である。
【００５９】
図１に戻って、チップセット７は、メモリ６を制御し、データのＩ／Ｆ制御を行い、また、ＨＤＤ１ないし３を制御する。
【００６０】
具体的には、チップセット７は、エンコーダ５が生成したＡＶストリームデータを録画用ＡＶストリームデータ格納部６ａに格納する。チップセット７は、ＡＶストリームデータを録画用ＡＶストリームデータ格納部６ａに格納し始めると、ＨＤＤ録画情報処理部１０ａに録画開始信号を提供する。チップセット７は、その後、ＣＰＵ１０の指示に従って、そのＡＶストリームデータを、ＨＤＤ１ないし３のいずれかに記録する。
【００６１】
また、チップセット７は、ＣＰＵ１０の指示に基づいて、再生予定のＡＶストリームデータ（番組）を、ＨＤＤ１ないし３のいずれかから読み出し、再生用ＡＶストリームデータ格納部６ｂに格納し、その後、そのＡＶストリームデータをデコーダ１１に提供する。
【００６２】
操作入力部８は、ＨＤＤ１ないし３のいずれかに記録されているＡＶストリームの再生指示入力を行う。例えば、操作入力部８は、録画情報格納部６ｄに格納されている録画情報６ｄ１（図３参照）がＴＶ１２に表示された際に、表示された録画情報６ｄ１のいずれかを再生予定の番組として指定する。
【００６３】
操作入力部８は、その再生指令を、ＨＤＤ決定処理部１０ｂ（具体的には、記録先決定部１０ｂ２）、および、再生Ｒ読出処理部１０ｆに提供する。なお、操作入力部８は、再生指令を行う操作ボタンでもよいし、不図示のリモコンから送信された再生指令を受け付ける受信部に置き換えてもよい。
【００６４】
タイマー９は、再生時間を測定するために使用される。
【００６５】
ＣＰＵ１０は、例えば、コンピュータにて読み取り可能な記録媒体（不図示）に記録されたプログラムを読み取り、そのプログラムを実行することによって、以下に示す種々の処理部を実現する。
【００６６】
ＨＤＤ録画情報処理部１０ａは、現在日時を計時し、また、チップセット７から録画開始信号を受け付けると、ＴＶチューナー４から、ＴＶチューナーが受信している番組のチャンネルを表すチャンネル情報を取得する。
【００６７】
ＨＤＤ録画情報処理部１０ａは、現在日時およびチャンネル情報に基づいて、録画用ＡＶストリームデータ格納部６ａ内のＡＶストリームデータ（番組）に関する録画情報を、例えばＥＰＧから取得し、その録画情報を、録画情報格納部６ｄに格納する（図３参照）。このとき、その録画情報に対応する記録先ＨＤＤ情報は、格納されていない。
【００６８】
ＨＤＤ録画情報処理部１０ａは、録画情報を録画情報格納部６ｄに格納すると、その録画情報を、ＨＤＤ決定処理部１０ｂ（具体的には、判断部１０ｂ１）に提供する。
【００６９】
ＨＤＤ決定処理部１０ｂは、ＨＤＤ１ないし３の中から、使用するＨＤＤを決定する。
【００７０】
例えば、ＨＤＤ決定処理部１０ｂは、録画情報を受け付けると、再生Ｒ録画Ｗ累積時間情報格納部６ｃ内にＨＤＤ１ないし３ごとに管理されている累積再生時間および累積記録時間（図２参照）に基づいて、ＨＤＤ１ないし３の中から記録先となるＨＤＤ（以下「記録先ＨＤＤ」と称する。）を決定する。
【００７１】
ＨＤＤ決定処理部１０ｂは、記録先ＨＤＤを決定すると、記録先ＨＤＤを識別するためのＨＤＤ識別子（例えば、ＨＤＤ１ないし３の名称）と記録先識別子とを、チップセット７、および、ＨＤＤ切替処理部１０ｃに提供する。
【００７２】
チップセット７は、ＨＤＤ識別子と記録先識別子を受け付けると、そのＨＤＤ識別子を、まだ記録先ＨＤＤ情報と関連づけられていない録画情報と関連づけて、記録先ＨＤＤ情報として、録画情報格納部６ｄに格納する（図３参照）。
【００７３】
チップセット７は、録画情報格納部６ｄに格納された情報を、ＨＤＤ１ないし３のいずれか（以下では、ＨＤＤ１とする。）に格納する。なお、チップセット７は、例えば、電源投入時に、ＨＤＤ１から録画情報と記録先ＨＤＤ情報とを読み出して録画情報格納部６ｄに格納する。
【００７４】
ＨＤＤ切替処理部１０ｃは、ＨＤＤ識別子と記録先識別子を受け付けると、チップセット７が記録先としてアクセスするＨＤＤを、そのＨＤＤ識別子にて特定されたＨＤＤに切り替える。ＨＤＤ切替処理部１０ｃは、記録先のＨＤＤを切り替えると、そのＨＤＤ識別子を、録画Ｗ書込処理部１０ｄに提供する。
【００７５】
録画Ｗ書込処理部１０ｄは、ＨＤＤ識別子を受け付けると、録画用ＡＶストリームデータ格納部６ａに格納されているＡＶストリームデータを、そのＨＤＤ識別子にて特定されたＨＤＤに記録する録画処理を、チップセット７を用いて実行する。
【００７６】
録画Ｗ時間処理部１０ｅは、録画Ｗ書込処理部１０ｄの録画処理を参照して、記録先となるＨＤＤ（記録先ＨＤＤ）と記録時間を特定し、ＨＤＤ１ないし３ごとに、累積記録時間を計算し、その計算結果を、再生Ｒ録画Ｗ累積時間情報格納部６ｃ、および、ＨＤＤ１ないし３に記録する。
【００７７】
また、ＨＤＤ決定処理部１０ｂ（具体的には、記録先決定部１０ｂ２）は、操作入力部８から再生指令を受け付けると、その再生指令にて示された番組を格納しているＨＤＤを、録画情報格納部６ｄ（図３参照）を参照して見つけ出し、そのＨＤＤを、読出先となるＨＤＤ（読出先ＨＤＤ）として用いることを決定する。
【００７８】
ＨＤＤ決定処理部１０ｂは、読出先ＨＤＤを決定すると、読出先ＨＤＤを識別するためのＨＤＤ識別子（例えば、ＨＤＤ１ないし３の名称）と、読出先であることを示す読出先識別子とを、ＨＤＤ切替処理部１０ｃに提供する。
【００７９】
ＨＤＤ切替処理部１０ｃは、ＨＤＤ識別子と読出先識別子を受け付けると、チップセット７が読出先としてアクセスするＨＤＤを、そのＨＤＤ識別子にて特定されたＨＤＤに切り替える。ＨＤＤ切替処理部１０ｃは、読出先のＨＤＤを切り替えると、そのＨＤＤ識別子を、再生Ｒ読出処理部１０ｆに提供する。
【００８０】
再生Ｒ読出処理部１０ｆは、ＨＤＤ識別子を受け付けると、操作入力部８から受け付けた再生指令にて指定されたＡＶストリームデータ（番組）を、そのＨＤＤ識別子にて特定されたＨＤＤから読み出し、そのＡＶストリームデータを再生用ＡＶストリームデータ格納部６ｂに格納し、その後、そのＡＶストリームデータをデコーダ１１に提供する再生処理を、チップセット７を用いて実行する。
【００８１】
また、再生Ｒ読出処理部１０ｆは、その再生処理を行うとともに、番組の再生の実績を管理する。具体的には、再生Ｒ読出処理部１０ｆは、再生指令に基づく番組の再生実績を、再生実績格納部６ｅに格納する（図４参照）。
【００８２】
また、再生Ｒ読出処理部１０ｆは、再生実績格納部６ｅに格納された番組の再生実績を、ＨＤＤ１ないし３のいずれか（以下では、ＨＤＤ２とする。）に格納する。なお、チップセット７は、例えば、電源投入時に、ＨＤＤ２から、番組の再生実績を読み出して再生実績格納部６ｅに格納する。
【００８３】
再生Ｒ時間処理部１０ｇは、再生Ｒ読出処理部１０ｆの再生処理を参照して、タイマー９を用いて、読出先ＨＤＤと再生時間を特定し、ＨＤＤ１ないし３ごとに、累積再生時間を計算し、その計算結果を、再生Ｒ録画Ｗ累積時間情報格納部６ｃ、および、ＨＤＤ１ないし３に記録する。
【００８４】
判断部１０ｂ１は、再生Ｒ読出処理部１０ｆにて管理されている再生の実績、つまり、再生実績格納部６ｅに格納されている再生実績情報に基づいて、記録されるべき番組（以下「記録予定の番組」と称する。）が再生される可能性が高いか低いかを判断する。なお、判断部１０ｂ１は、ＨＤＤ録画情報処理部１０ａから受け付けた録画情報を用いて、記録予定の番組を特定する。
【００８５】
記録先決定部１０ｂ２は、判断部１０ｂ１の判断結果と、ＨＤＤごとに管理されている累積再生時間および累積記録時間と、に基づいて、複数のＨＤＤ１ないし３の中から記録先となるＨＤＤを決定する。
【００８６】
なお、再生Ｒ録画Ｗ累積時間情報格納部６ｃと、録画Ｗ時間処理部１０ｅと、再生Ｒ時間処理部１０ｇとで、ＨＤＤ管理部を構成する。
【００８７】
次に、動作を説明する。
【００８８】
図５は、記録再生装置１００の動作、主には、記録先ＨＤＤを決定する動作を説明するためのフローチャートである。以下、図５を参照して記録再生装置１００の動作を説明する。なお、以下では、記録再生装置１００は、２４時間、番組を記録するものとする。
【００８９】
エンコーダ５は、ＴＶチューナー４にて受け付けられた番組（映像信号および音声信号）を圧縮してＡＶストリームデータを生成し、そのＡＶストリームデータをチップセット７に提供する。
【００９０】
チップセット７は、エンコーダ５からＡＶストリームデータを受け付けると、そのＡＶストリームデータを録画用ＡＶストリームデータ格納部６ａに格納する。チップセット７は、ＡＶストリームデータを録画用ＡＶストリームデータ格納部６ａに格納し始めると、ＨＤＤ録画情報処理部１０ａに録画開始信号を提供する。
【００９１】
ＨＤＤ録画情報処理部１０ａは、録画開始信号を受け付けると、ＴＶチューナー４からチャンネル情報を取得し、そのチャンネル情報と現在日時に基づいて、録画用ＡＶストリームデータ格納部６ａ内のＡＶストリームデータ（番組）に関する録画情報を、ＥＰＧから取得し、その後、チップセット７を用いて、その録画情報を、録画情報格納部６ｄに格納する。なお、この録画情報は、録画用ＡＶストリームデータ格納部６ａ内のＡＶストリームデータ（番組）を特定する情報として用いられる（ステップＳ１）。
【００９２】
ＨＤＤ録画情報処理部１０ａは、録画情報を録画情報格納部６ｄに格納すると、その録画情報を、判断部１０ｂ１に提供する。
【００９３】
判断部１０ｂ１は、録画情報を受け付けると、チップセット７を介して、再生実績格納部６ｅ内の再生実績情報を参照し、その再生実績情報に基づいて、その録画情報にて特定される番組（記録予定の番組）が再生される可能性が高いか低いかを判断する（ステップＳ２）。
【００９４】
例えば、判断部１０ｂ１は、まず、記録予定の番組とチャンネルおよび放送時刻が同一であり、かつ、過去数週間（例えば、過去４週間）の間に録画されて再生された番組を、再生実績格納部６ｅ内の再生実績情報から抽出する。
【００９５】
続いて、判断部１０ｂ１は、抽出された番組の数が、所定数（スレッシュレベルとする）以上であると、記録予定の番組は「再生される可能性が高い」と判断し、一方、抽出された番組の数が、所定数（スレッシュレベル）未満であると、記録予定の番組は「再生される可能性が低い」と判断する。
【００９６】
また、例えば、判断部１０ｂ１は、再生実績情報から、過去数週間（例えば、過去１週間）に間に録画されて再生された番組を抽出し、その抽出された番組の時間（再生番組時間）を、番組の放送時間帯（例えば、１時間単位）別に累計する。続いて、判断部１０ｂ１は、その累計された時間が、所定時間（スレッシュレベルとする）以上である時間帯を抽出する。図６は、時間帯別に累計された再生番組時間の一例を示した説明図である。
【００９７】
続いて、判断部１０ｂ１は、記録予定の番組の放送時間帯が、その抽出された時間帯に含まれる場合には、記録予定の番組は「再生される可能性が高い」と判断し、一方、記録予定の番組の放送時間帯が、その抽出された時間帯に含まれない場合には、記録予定の番組は「再生される可能性が低い」と判断する。
【００９８】
なお、図６では、再生番組時間を放送時間帯でグラフ化したが、判断部１０ｂ１は、番組のチャンネルまたは番組のジャンルで再生番組時間をグラフ化し、その結果に応じて、記録予定の番組が再生される可能性が高いか低いかを判断してもよい。
【００９９】
また、判断部１０ｂ１は、放送時間帯別の再生番組時間と、放送内容（ＥＰＧ情報等）と、に基づいて、記録予定の番組が再生される可能性が高いか低いかを判断してもよい。
【０１００】
続いて、判断部１０ｂ１は、その判断結果を、記録先決定部１０ｂ２に提供する。
【０１０１】
記録先決定部１０ｂ２は、その判断結果が記録予定の番組は「再生される可能性が高い」ことを表す場合、チップセット７を介して、再生Ｒ録画Ｗ累積時間情報格納部６ｃから各ＨＤＤ１ないし３の累積再生情報６ｃ１を読み出す。
【０１０２】
続いて、記録先決定部１０ｂ２は、累積再生時間が最短のＨＤＤを記録先ＨＤＤとして用いることを決定する（ステップＳ３）。
【０１０３】
一方、記録先決定部１０ｂ２は、判断部１０ｂ１の判断結果が記録予定の番組は「再生される可能性が低い」ことを表す場合、チップセット７を介して、再生Ｒ録画Ｗ累積時間情報格納部６ｃから各ＨＤＤ１ないし３の累積記録情報６ｃ２を読み出す。
【０１０４】
続いて、記録先決定部１０ｂ２は、累積記録時間が最短のＨＤＤを記録先ＨＤＤとして用いることを決定する（ステップＳ４）。
【０１０５】
続いて、記録先決定部１０ｂ２は、記録先ＨＤＤを識別するためのＨＤＤ識別子と、記録先識別子とを、チップセット７、および、ＨＤＤ切替処理部１０ｃに提供する。
【０１０６】
チップセット７は、ＨＤＤ識別子と記録先識別子を受け付けると、そのＨＤＤ識別子を、記録先ＨＤＤ情報と関連づけられていない録画情報と関連づけて、記録先ＨＤＤ情報として、録画情報格納部６ｄに格納する（図３参照）。
【０１０７】
その後、チップセット７は、録画情報格納部６ｄに格納された情報を、ＨＤＤ１に格納する。なお、チップセット７は、電源投入時に、ＨＤＤ１から、録画情報と記録先ＨＤＤ情報とを読み出して録画情報格納部６ｄに格納する。
【０１０８】
ＨＤＤ切替処理部１０ｃは、ＨＤＤ識別子と記録先識別子を受け付けると、チップセット７が記録先としてアクセスするＨＤＤを、そのＨＤＤ識別子にて特定されたＨＤＤに切り替える（ステップＳ５）。
【０１０９】
ＨＤＤ切替処理部１０ｃは、記録先のＨＤＤを切り替えると、そのＨＤＤ識別子を、録画Ｗ書込処理部１０ｄに提供する。
【０１１０】
録画Ｗ書込処理部１０ｄは、ＨＤＤ識別子を受け付けると、録画用ＡＶストリームデータ格納部６ａに格納されているＡＶストリームデータを、そのＨＤＤ識別子にて特定されたＨＤＤに記録する録画処理を、チップセット７を用いて実行する（ステップＳ６）。
【０１１１】
録画Ｗ時間処理部１０ｅは、録画Ｗ書込処理部１０ｄの録画処理を参照して、ＨＤＤ１ないし３ごとに、累積記録時間を計算し、その計算結果を、再生Ｒ録画Ｗ累積時間情報格納部６ｃ、および、ＨＤＤ１ないし３に記録する記録処理を、チップセット７を用いて実行する。
【０１１２】
本実施例によれば、ＨＤＤ決定処理部１０ｂは、ＨＤＤ１ないし３ごとに管理されている累積再生時間および累積記録時間に基づいて、複数のＨＤＤの中から記録先ＨＤＤを決定する。
【０１１３】
このため、ＨＤＤ間の実駆動時間である累積再生時間および累積記録時間を平準化することが可能になる。よって、ＨＤＤ間の寿命を平均化し、ＨＤＤの寿命を延ばすことが可能になる。
【０１１４】
また、本実施例では、判断部１０ｂ１は、番組の再生実績に基づいて、記録予定の番組が再生される可能性が高いか低いかを判断する。記録先決定部１０ｂ２は、判断部１０ｂ１の判断結果、および、ＨＤＤ１ないし３ごとに管理されている累積再生時間および累積記録時間に基づいて、複数のＨＤＤの中から記録先ＨＤＤを決定する。
【０１１５】
例えば、記録先決定部１０ｂ２は、判断部１０ｂ１が記録予定の番組は再生される可能性が高いと判断すると、累積再生時間が最短のＨＤＤを記録先ＨＤＤとし、判断部１０ｂ１が記録予定の番組は再生される可能性が低いと判断すると、累積記録時間が最短のＨＤＤを記録先とする。
【０１１６】
この場合、再生される可能性が高い番組が特定のＨＤＤに集中して記録されることを抑制可能になり、ＨＤＤ間の寿命を平均化し、ＨＤＤの寿命を延ばすことが可能になる。また、再生される可能性が高い番組は、累積再生時間が最短のＨＤＤに記録されるため、ＨＤＤ間で累積再生時間を平準化することが可能となる。また、再生される可能性が低い番組は、累積記録時間が最短のＨＤＤに記録されるため、ＨＤＤ間で累積記録時間を平準化することが可能となる。
【０１１７】
このため、ＨＤＤ間の寿命を平準化することが可能となり、ＨＤＤの寿命を延ばすことができる。
【０１１８】
（第２実施例）
ＨＤＤの寿命は、ＨＤＤに累積された負荷が大きくなると短くなる。その理由は、ＨＤＤの累積負荷が大きくなると、磁気ヘッドと磁気ディスクの電磁気特性、潤滑、および、熱特性の劣化が早く進むためである。
【０１１９】
本発明の第２実施例は、ＨＤＤの累積負荷を考慮して記録先ＨＤＤを決定する。
【０１２０】
図７は、本発明の第２実施例の記録再生装置１００Ａを示したブロック図である。なお、図７において、図１に示したものと同一のものには同一符号を付してある。以下、第１実施例と異なる点を中心に、第２実施例を説明する。
【０１２１】
図７において、記録再生装置１００Ａでは、録画Ｗ時間処理部１０ｅの代わりに録画Ｗ時間処理部１０ｅ１が用いられ、再生Ｒ時間処理部１０ｇの代わりに再生Ｒ時間処理部１０ｇ１が用いられ、記録先決定部１０ｂ２の代わりに記録先決定部１０ｂ３が用いられる。
【０１２２】
図７において、録画Ｗ時間処理部１０ｅ１と再生Ｒ時間処理部１０ｇ１は、記録と再生の負荷の違いに基づいて、累積記録時間および累積再生時間に重み付けをし、その重み付けされた累積記録時間および累積再生時間を、再生Ｒ録画Ｗ累積時間情報格納部６ｃおよびＨＤＤ１ないし３に格納する。
【０１２３】
例えば、Ｗ（記録）：Ｒ（再生）＝１：０．５、となる重み付け係数が設定されている場合、録画Ｗ時間処理部１０ｅ１は、累積記録時間に重み付け係数「１」が掛けられている、重み付け累積記録時間を管理し、再生Ｒ時間処理部１０ｇ１は、累積再生時間に重み付け係数「０．５」が掛けられている、重み付け累積再生時間を管理する。なお、重み付け係数は、上記に限らず適宜変更可能である。
【０１２４】
記録先決定部１０ｂ３は、判断部１０ｂ１が記録予定の番組は再生される可能性が高いと判断すると、重み付け累積再生時間が最短のＨＤＤを記録先として決定する。
【０１２５】
一方、判断部１０ｂ１が記録予定の番組は再生される可能性が低いと判断すると、記録先決定部１０ｂ３は、重み付け累積再生時間と重み付け累積記録時間とをＨＤＤごとに加算した時間が、最短のＨＤＤを記録先として決定する。
【０１２６】
図８は、累積記録時間に重み付けをする動作を説明するためのフローチャートである。以下、図８を参照して、累積記録時間に重み付けをする動作を説明する。
【０１２７】
録画Ｗ時間処理部１０ｅ１は、録画Ｗ書込処理部１０ｄの録画処理を参照して、記録先ＨＤＤを特定する（ステップＳ７）。
【０１２８】
続いて、録画Ｗ時間処理部１０ｅ１は、録画Ｗ書込処理部１０ｄの録画処理を参照して、録画時間を特定し、その録画時間に重み付け係数「１．０」を掛けて重み付け録画時間を算出する。録画Ｗ時間処理部１０ｅ１は、記録先ＨＤＤの累積記録時間を、再生Ｒ録画Ｗ累積時間情報格納部６ｃから読み出し、その累積記録時間に、重み付け録画時間を加算して、最新の累積記録時間（重み付け累積記録時間）を算出する（ステップＳ８）。
【０１２９】
続いて、録画Ｗ時間処理部１０ｅ１は、再生Ｒ録画Ｗ累積時間情報格納部６ｃ内の記録先ＨＤＤの累積記録時間を、最新の累積記録時間に更新し、さらに、記録先ＨＤＤに格納されている累積記録時間を、最新の累積記録時間に更新する（ステップＳ９）。
【０１３０】
図９は、累積再生時間に重み付けをする動作を説明するためのフローチャートである。以下、図９を参照して、累積再生時間に重み付けをする動作を説明する。
【０１３１】
再生Ｒ時間処理部１０ｇ１は、再生Ｒ読出処理部１０ｆの再生処理を参照して、読出先ＨＤＤを特定する（ステップＳ１０）。
【０１３２】
続いて、再生Ｒ時間処理部１０ｇ１は、再生Ｒ読出処理部１０ｆの再生処理を参照して、タイマー９を用いて再生時間を特定し、その再生時間に重み付け係数「０．５」を掛けて重み付け再生時間を算出する。再生Ｒ時間処理部１０ｇ１は、読出先ＨＤＤの累積再生時間を、再生Ｒ録画Ｗ累積時間情報格納部６ｃから読み出し、その累積再生時間に、重み付け再生時間を加算して、最新の累積再生時間（重み付け累積再生時間）を算出する（ステップＳ１１）。
【０１３３】
続いて、再生Ｒ時間処理部１０ｇ１は、再生Ｒ録画Ｗ累積時間情報格納部６ｃ内の読出先ＨＤＤの累積再生時間を、最新の累積再生時間に更新し、さらに、読出先ＨＤＤに格納されている累積再生時間を、最新の累積再生時間に更新する（ステップＳ１２）。
【０１３４】
図１０は、第２実施例において記録先ＨＤＤを決定する動作を説明するためのフローチャートである。なお、図１０において、図５に示した動作と同一の動作には同一符号を付してある。以下、図５に示した動作と異なる点を中心に、記録先ＨＤＤを決定する動作を説明する。
【０１３５】
記録先決定部１０ｂ３は、判断部１０ｂ１の判断結果が、記録予定の番組は再生される可能性が高いことを表す場合、チップセット７を介して、再生Ｒ録画Ｗ累積時間情報格納部６ｃから各ＨＤＤ１ないし３の累積再生情報（重み付けされた累積再生情報）６ｃ１を読み出す。続いて、記録先決定部１０ｂ３は、累積再生時間が最短のＨＤＤを記録先ＨＤＤとして用いることを決定する（ステップＳ３）。
【０１３６】
一方、記録先決定部１０ｂ３は、判断部１０ｂ１の判断結果が記録予定の番組は再生される可能性が低いことを表す場合、チップセット７を介して、再生Ｒ録画Ｗ累積時間情報格納部６ｃから、各ＨＤＤ１ないし３の、累積再生情報（重み付けされた累積再生情報）６ｃ１、および、累積記録情報（重み付けされた累積記録情報）６ｃ２を、読み出す。
【０１３７】
続いて、記録先決定部１０ｂ３は、ＨＤＤ１ないし３ごとに、累積再生時間と累積記録時間との和、すなわち、ＨＤＤごとの累積負荷を計算する。記録先決定部１０ｂ３は、その計算された和が最短のＨＤＤを記録先ＨＤＤとして用いることを決定する（ステップＳ１３）。
【０１３８】
本実施例によれば、録画Ｗ時間処理部１０ｅ１と再生Ｒ時間処理部１０ｇ１は、累積記録時間および累積再生時間を、記録時と再生時の負荷の違いに基づいて重み付けし、その重み付けされた累積記録時間および累積再生時間を、再生Ｒ録画Ｗ累積時間情報格納部６ｃに格納する。
【０１３９】
また、記録先決定部１０ｂ３は、記録予定の番組が再生される可能性が高い場合、重み付けされた累積再生時間が最短のＨＤＤを記録先とし、記録予定の番組が再生される可能性が低い場合、重み付けされた累積再生時間と重み付けされた累積記録時間とをＨＤＤごとに加算した時間が最短のＨＤＤを記録先とする。
【０１４０】
このため、再生される可能性が高い番組は、重み付けされた累積再生時間が最短のＨＤＤに記録されるため、ＨＤＤ間で累積再生時間を平準化することが可能となる。また、再生される可能性が低い番組は、重み付けられた累積再生時間と重み付けされた累積記録時間とを加算した時間が最短、つまり、累積された負荷が最小のＨＤＤに記録されるため、ＨＤＤ間で累積された負荷を平準化することが可能になる。
【０１４１】
このため、ＨＤＤ間の寿命を平準化することが可能となり、ＨＤＤの寿命を延ばすことができる。
【０１４２】
（第３実施例）
図１１は、本発明の第３実施例の記録再生装置１００Ｂを示したブロック図である。なお、図１１において、図７に示したものと同一のものには同一符号を付してある。以下、第２実施例と異なる点を中心に、第３実施例を説明する。
【０１４３】
図１１において、記録再生装置１００Ｂでは、図７に示した記録再生装置１００Ａから、再生実績格納部６ｅおよび判断部１０ｂ１が省略され、記録先決定部１０ｂ３の代わりに記録先決定部１０ｂ４が用いられる。なお、本実施例では、再生Ｒ読出処理部１０ｆは、再生実績の処理を行わない。
【０１４４】
記録先決定部１０ｂ４は、ＨＤＤ録画情報処理部１０ａから録画情報を受け付ける。記録先決定部１０ｂ４は、録画情報を受け付けると、チップセット７を介して、再生Ｒ録画Ｗ累積時間情報格納部６ｃから、各ＨＤＤ１ないし３の、累積再生情報（重み付けされた累積再生情報）６ｃ１、および、累積記録情報（重み付けされた累積記録情報）６ｃ２を、読み出す。
【０１４５】
続いて、記録先決定部１０ｂ４は、ＨＤＤ１ないし３ごとに、累積再生時間と累積記録時間との和、すなわち、ＨＤＤごとの累積負荷を計算する。記録先決定部１０ｂ４は、その計算された和が最短のＨＤＤを記録先ＨＤＤとして用いることを決定する。
【０１４６】
本実施例によれば、記録予定の番組は、重み付けられた累積再生時間と重み付けされた累積記録時間とを加算した時間が最短、つまり、累積された負荷が最小のＨＤＤに記録されるため、ＨＤＤ間で累積された負荷を平準化することが可能になる。
【０１４７】
このため、ＨＤＤ間の寿命を平準化することが可能となり、ＨＤＤの寿命を延ばすことができる。
【０１４８】
（第４実施例）
図１２は、本発明の第４実施例の記録再生装置１００Ｃを示したブロック図である。なお、図１２において、図１に示したものと同一のものには同一符号を付してある。以下では、第１実施例と異なる点を中心に、第４実施例を説明する。
【０１４９】
図１２において、記録再生装置１００Ｃでは、図１に示した記録再生装置１００に、重複時間処理部１０ｉが追加され、記録先決定部１０ｂ２の代わりに記録先決定部１０ｂ５が用いられ、再生Ｒ録画Ｗ累積時間情報格納部６ｃの代わりに再生Ｒ録画Ｗ累積時間情報格納部６ｃＡが用いられる。
【０１５０】
再生Ｒ記録Ｗ累積時間情報格納部６ｃＡは、ＨＤＤ１ないし３ごとに、累積再生時間と、累積記録時間と、記録中に再生が行われた重複時間を累積した累積重複時間と、をＨＤＤ１ないし３から読み出して一旦格納する。例えば、チップセット７は、電源投入時に、ＨＤＤ１ないし３から累積再生時間と累積記録時間と累積重複時間を読み出して再生Ｒ録画Ｗ累積時間情報格納部６ｃに格納する。
【０１５１】
なお、累積再生時間と累積記録時間と累積重複時間の読出し先の記憶装置として、ＡＶストリームデータを記録するＨＤＤ１ないし３とは異なるＨＤＤを用いてもよい。
【０１５２】
図１３は、再生Ｒ録画Ｗ累積時間情報格納部６ｃＡに格納された累積再生時間、累積記録時間および累積重複時間の一例を示した説明図である。
【０１５３】
図１３において、再生Ｒ録画Ｗ累積時間情報格納部６ｃＡには、ＨＤＤ１ないし３ごとに、累積再生時間６ｃ１、累積記録時間６ｃ２、および、累積重複時間６ｃ３が格納される。
【０１５４】
図１２に戻って、重複時間処理部１０ｉは、録画Ｗ書込処理部１０ｄの録画処理および再生Ｒ読出処理部１０ｆの再生処理を参照して、同一ＨＤＤで記録中に再生が行われた重複時間を累積した累積重複時間を、ＨＤＤ１ないし３ごとに計算し、その計算結果を、再生Ｒ録画Ｗ累積時間情報格納部６ｃＡおよびＨＤＤ１ないし３に記録する。
【０１５５】
記録先決定部１０ｂ５は、判断部１０ｂ１が記録予定の番組は再生される可能性が高いと判断すると、累積再生時間が最短のＨＤＤを記録先として決定し、一方、判断部１０ｂ１が記録予定の番組は再生される可能性が低いと判断すると、同一ＨＤＤにおいて累積再生時間と累積記録時間との和から累積重複時間を差し引いた時間が、最短となるＨＤＤを、記録先として用いること決定する。
【０１５６】
図１４は、第４実施例で記録先ＨＤＤを決定する動作を説明するためのフローチャートである。なお、図１４において、図５に示した動作と同一の動作には同一符号を付してある。以下では、図１４を参照して、第１実施例と異なる動作を中心に説明する。
【０１５７】
記録先決定部１０ｂ５は、判断部１０ｂ１の判断結果が、記録予定の番組は再生される可能性が高いことを表す場合、チップセット７を介して、再生Ｒ録画Ｗ累積時間情報格納部６ｃＡから各ＨＤＤ１ないし３の累積再生情報６ｃ１を読み出す。続いて、記録先決定部１０ｂ５は、累積再生時間が最短のＨＤＤを記録先ＨＤＤとして用いることを決定する（ステップＳ３）。
【０１５８】
一方、判断部１０ｂ１の判断結果が記録予定の番組は再生される可能性が低いことを表す場合、記録先決定部１０ｂ５は、チップセット７を介して、再生Ｒ録画Ｗ累積時間情報格納部６ｃＡから、各ＨＤＤ１ないし３の、累積再生情報６ｃ１、累積記録情報６ｃ２、および、累積重複時間６ｃ３を読み出す。
【０１５９】
続いて、記録先決定部１０ｂ５は、ＨＤＤ１ないし３ごとに、累積再生時間と累積記録時間との和から累積重複時間を差し引いた時間、すなわち、実駆動時間を計算する。記録先決定部１０ｂ５は、その計算された時間（実駆動時間）が最短のＨＤＤを記録先ＨＤＤとして用いることを決定する（ステップＳ１４）。
【０１６０】
本実施例によれば、再生される可能性が高い番組は、累積再生時間が最短のＨＤＤに記録されるため、ＨＤＤ間で累積再生時間を平準化することが可能となる。また、再生される可能性が低い番組は、累積再生時間と累積記録時間との和から累積重複時間を差し引いた時間、つまり、実駆動時間が最短のＨＤＤに記録されるため、ＨＤＤ間で実駆動時間を平準化することが可能となる。
【０１６１】
このため、ＨＤＤ間の寿命を平準化することが可能となり、ＨＤＤの寿命を延ばすことが可能になる。
【０１６２】
（第５実施例）
図１５は、本発明の第５実施例の記録再生装置１００Ｄを示したブロック図である。なお、図１５において、図１２に示したものと同一のものには同一符号を付してある。以下では、第４実施例と異なる点を中心に、第５実施例を説明する。
【０１６３】
図１５において、記録再生装置１００Ｄでは、図１２に示した記録再生装置１００Ｃから、再生実績格納部６ｅおよび判断部１０ｂ１が省略され、記録先決定部１０ｂ５の代わりに記録先決定部１０ｂ６が用いられる。なお、本実施例では、再生Ｒ読出処理部１０ｆは、再生実績の処理を行わない。
【０１６４】
記録先決定部１０ｂ６は、ＨＤＤ録画情報処理部１０ａから録画情報を受け付ける。記録先決定部１０ｂ６は、録画情報を受け付けると、チップセット７を介して、再生Ｒ録画Ｗ累積時間情報格納部６ｃＡから、各ＨＤＤ１ないし３の、累積再生情報６ｃ１、累積記録情報６ｃ２、および、累積重複時間６ｃ３を読み出す。
【０１６５】
続いて、記録先決定部１０ｂ６は、ＨＤＤ１ないし３ごとに、累積再生時間と累積記録時間との和から累積重複時間を差し引いた時間、すなわち、実駆動時間を計算する。記録先決定部１０ｂ６は、その計算された時間（実駆動時間）が最短のＨＤＤを記録先ＨＤＤとして用いることを決定する
本実施例によれば、記録予定の番組は、累積再生時間と累積記録時間との和から累積重複時間を差し引いた時間、つまり、実駆動時間が最短のＨＤＤに記録されるため、ＨＤＤ間で実駆動時間を平準化することが可能となる。
【０１６６】
このため、ＨＤＤ間の寿命を平準化することが可能となり、ＨＤＤの寿命を延ばすことができる。
【０１６７】
（第６実施例）
本発明の第６実施例は、ＨＤＤの累積負荷を考慮して記録先ＨＤＤを決定する。
【０１６８】
図１６は、本発明の第６実施例の記録再生装置１００Ｅを示したブロック図である。なお、図１６において、図１２に示したものと同一のものには同一符号を付してある。以下、第４実施例と異なる点を中心に、第６実施例を説明する。
【０１６９】
図１６において、記録再生装置１００Ｅでは、録画Ｗ時間処理部１０ｅの代わりに録画Ｗ時間処理部１０ｅ２が用いられ、再生Ｒ時間処理部１０ｇの代わりに再生Ｒ時間処理部１０ｇ２が用いられ、重複時間処理部１０ｉの代わりに重複時間処理部１０ｉ１が用いられ、再生Ｒ録画Ｗ累積時間情報格納部６ｃＡの代わりに再生Ｒ録画Ｗ累積時間情報格納部６ｃＢが用いられ、記録先決定部１０ｂ５の代わりに記録先決定部１０ｂ７が用いられる。
【０１７０】
以下では、ＨＤＤの負荷に基づいて、Ｗ（記録）のみ：Ｒ（再生）のみ：ＷとＲの重複＝１：０．５：１．８、となる重み付け係数が設定されているものとして、第６実施例を説明する。なお、重み付け係数は、上記に限らず適宜変更可能である。
【０１７１】
録画Ｗ時間処理部１０ｅ２は、録画Ｗ書込処理部１０ｄの録画処理、および、再生Ｒ読出処理部１０ｆの再生処理を参照して、記録先ＨＤＤと、記録のみが行われている記録のみ時間と、を特定し、ＨＤＤ１ないし３ごとに、記録のみ時間に重み付け係数「１」が掛けられた値を累積した、重み付け累積記録のみ時間を計算する。
【０１７２】
録画Ｗ時間処理部１０ｅ２は、重み付け累積記録のみ時間を、再生Ｒ録画Ｗ累積時間情報格納部６ｃＢ、および、ＨＤＤ１ないし３に記録する。
【０１７３】
再生Ｒ時間処理部１０ｇ２は、再生Ｒ時間処理部１０ｇと同様に累積再生時間を計算するとともに、録画Ｗ書込処理部１０ｄの録画処理、および、再生Ｒ読出処理部１０ｆの再生処理を参照して、読出先ＨＤＤと、再生のみが行われ再生のみ時間と、を特定し、ＨＤＤ１ないし３ごとに、再生のみ時間に重み付け係数「０．５」が掛けられた値を累積した、重み付け累積再生のみ時間を計算する。
【０１７４】
再生Ｒ時間処理部１０ｇ２は、累積再生時間と、重み付け累積再生のみ時間を、再生Ｒ録画Ｗ累積時間情報格納部６ｃＢ、および、ＨＤＤ１ないし３に記録する。
【０１７５】
重複時間処理部１０ｉ１は、重複時間を特定すると、ＨＤＤ１ないし３ごとに、重複時間に重み付け係数「１．８」が掛けられた値を累積した、重み付け累積重複時間を計算する。
【０１７６】
重複時間処理部１０ｉ１は、重み付け累積重複時間を、再生Ｒ録画Ｗ累積時間情報格納部６ｃＢ、および、ＨＤＤ１ないし３に記録する。
【０１７７】
再生Ｒ録画Ｗ累積時間情報格納部６ｃＢは、ＨＤＤ１ないし３ごとに、累積再生時間と、重み付け累積再生のみ時間と、重み付け累積記録のみ時間と、重み付け累積重複時間と、をＨＤＤ１ないし３から読み出して一旦格納する。例えば、チップセット７は、電源投入時に、ＨＤＤ１ないし３から累積再生時間と重み付け累積再生のみ時間と重み付け累積記録のみ時間と重み付け累積重複時間を読み出して再生Ｒ録画Ｗ累積時間情報格納部６ｃＢに格納する。
【０１７８】
図１７は、再生Ｒ録画Ｗ累積時間情報格納部６ｃＢに格納された累積再生時間６ｃ１、重み付けされた累積再生のみ時間６ｃ４と、重み付けされた累積記録のみ時間６ｃ５と、重み付けされた累積重複時間６ｃ６の一例を示した説明図である。
【０１７９】
記録先決定部１０ｂ７は、判断部１０ｂ１が記録予定の番組は再生される可能性が高いと判断すると、累積再生時間が最短のＨＤＤを記録先ＨＤＤとして用いること決定する。
【０１８０】
また、記録先決定部１０ｂ７は、判断部１０ｂ１が記録予定の番組は再生される可能性が低いと判断すると、重み付け累積再生のみ時間と重み付け累積記録のみ時間と重み付け累積重複時間とをＨＤＤごとに加算した時間が最短のＨＤＤを、記録先として用いることを決定する。
【０１８１】
図１８は、第６実施例にて記録先ＨＤＤを決定する動作を説明するためのフローチャートである。なお、図１８において、図５に示した動作と同一の動作には同一符号を付してある。以下、図５に示した動作と異なる点を中心に、記録先ＨＤＤを決定する動作を説明する。
【０１８２】
記録先決定部１０ｂ７は、判断部１０ｂ１の判断結果が、記録予定の番組は再生される可能性が高いことを表す場合、チップセット７を介して、再生Ｒ録画Ｗ累積時間情報格納部６ｃＢから各ＨＤＤ１ないし３の累積再生情報６ｃ１を読み出す。続いて、記録先決定部１０ｂ７は、累積再生時間が最短のＨＤＤを記録先ＨＤＤとして用いることを決定する（ステップＳ３）。
【０１８３】
一方、判断部１０ｂ１の判断結果が記録予定の番組は再生される可能性が低いことを表す場合、記録先決定部１０ｂ７は、チップセット７を介して、再生Ｒ録画Ｗ累積時間情報格納部６ｃＢから、各ＨＤＤ１ないし３の、重み付け累積再生のみ時間６ｃ４、重み付け累積記録のみ時間６ｃ５、および、重み付け累積重複時間６ｃ６を読み出す。
【０１８４】
続いて、記録先決定部１０ｂ７は、ＨＤＤ１ないし３ごとに、重み付け累積再生のみ時間と、重み付け累積記録のみ時間と、重み付け累積重複時間の和、すなわち、ＨＤＤごとの累積負荷を計算する。記録先決定部１０ｂ７は、その計算された和が最短のＨＤＤを記録先ＨＤＤとして用いることを決定する（ステップＳ１５）。
【０１８５】
本実施例によれば、累積記録のみ時間、累積再生のみ時間、および、累積重複時間を、記録時と再生時の負荷の違いに基づいて重み付けすることができる。
【０１８６】
この場合、再生される可能性が高い番組は、累積再生時間が最短のＨＤＤに記録されるため、ＨＤＤ間で累積再生時間を平準化することが可能となる。また、再生される可能性が低い番組は、重み付け累積再生のみ時間と重み付け累積記録のみ時間と重み付け累積重複時間を加算した時間が最短、つまり、累積された負荷が最小のＨＤＤに記録されるため、ＨＤＤ間で累積された負荷を平準化することが可能になる。
【０１８７】
このため、ＨＤＤ間の寿命を平準化することが可能となり、ＨＤＤの寿命を延ばすことができる。
【０１８８】
（第７実施例）
図１９は、本発明の第７実施例の記録再生装置１００Ｆを示したブロック図である。なお、図１９において、図１７に示したものと同一のものには同一符号を付してある。以下、図１７に示した第６実施例（記録再生装置１００Ｅ）と異なる点を中心に、第７実施例を説明する。
【０１８９】
図１９において、記録再生装置１００Ｆでは、図１７に示した記録再生装置１００Ｅから、再生実績格納部６ｅおよび判断部１０ｂ１が省略され、記録先決定部１０ｂ７の代わりに記録先決定部１０ｂ８が用いられる。なお、本実施例では、再生Ｒ読出処理部１０ｆは、再生実績の処理を行わない。
【０１９０】
記録先決定部１０ｂ８は、ＨＤＤ録画情報処理部１０ａから録画情報を受け付ける。記録先決定部１０ｂ８は、録画情報を受け付けると、チップセット７を介して、再生Ｒ録画Ｗ累積時間情報格納部６ｃＢから、各ＨＤＤ１ないし３の、重み付け累積再生のみ時間６ｃ４、重み付け累積記録のみ時間６ｃ５、および、重み付け累積重複時間６ｃ６を読み出す。
【０１９１】
続いて、記録先決定部１０ｂ８は、ＨＤＤ１ないし３ごとに、重み付け累積再生のみ時間と、重み付け累積記録のみ時間と、重み付け累積重複時間の和、すなわち、ＨＤＤごとの累積負荷を計算する。記録先決定部１０ｂ８は、その計算された和が最短のＨＤＤを記録先ＨＤＤとして用いることを決定する。
【０１９２】
本実施例によれば、例えば、累積記録のみ時間、累積再生のみ時間、および、累積重複時間を、記録時と再生時の負荷の違いに基づいて重み付けすることができる。この場合、記録予定の番組は、重み付け累積再生のみ時間と重み付け累積記録のみ時間と重み付け累積重複のみ時間を加算した時間が最短、つまり、累積された負荷が最小のＨＤＤに記録されるため、ＨＤＤ間で累積された負荷を平準化することが可能になる。
【０１９３】
このため、ＨＤＤ間の寿命を平準化することが可能となり、ＨＤＤの寿命を延ばすことができる。
【０１９４】
以上説明した各実施例において、図示した構成は単なる一例であって、本発明はその構成に限定されるものではない。
【０１９５】
例えば、上記各実施例では、記憶部としてＨＤＤが用いられたが、記憶部は上記に限らず適宜変更可能である。
【０１９６】
また、ＨＤＤは、３台に限らず複数台であればよい。
【０１９７】
また、上記各実施例では、コンテンツの一例として、放送番組を用いたが、コンテンツは放送番組に限らず適宜変更可能である。例えば、ストリームまたはダウンロードで提供されるＡＶコンテンツ（例えば、音楽）が、コンテンツとして用いられてもよい。
【０１９８】
例えば、音楽がコンテンツとして用いられた場合、判断部は、各音楽をアーティスト名またはジャンルでカテゴライズし、再生された回数が所定レベルより多いアーティストまたはジャンルに関連する音楽を再生可能性が高い音楽として判断する。
【図面の簡単な説明】
【０１９９】
【図１】本発明の第１実施例の記録再生装置を示したブロック図である。
【図２】累積再生時間６ｃ１および累積記録時間６ｃ２の一例を示した説明図である。
【図３】録画情報格納部６ｄに格納された情報の一例を示した説明図である。
【図４】再生実績格納部６ｅに格納された再生実績情報の一例を示した説明図である。
【図５】記録先ＨＤＤを決定する動作を説明するためのフローチャートである。
【図６】時間帯別に累計された再生番組時間の一例を示した説明図である。
【図７】本発明の第２実施例の記録再生装置１００Ａを示したブロック図である。
【図８】累積記録時間に重み付けをする動作を説明するためのフローチャートである。
【図９】累積再生時間に重み付けをする動作を説明するためのフローチャートである。
【図１０】記録先ＨＤＤを決定する動作を説明するためのフローチャートである。
【図１１】本発明の第３実施例の記録再生装置１００Ｂを示したブロック図である。
【図１２】本発明の第４実施例の記録再生装置１００Ｃを示したブロック図である。
【図１３】累積再生時間、累積記録時間および累積重複時間の一例を示した説明図である。
【図１４】記録先ＨＤＤを決定する動作を説明するためのフローチャートである。
【図１５】本発明の第５実施例の記録再生装置１００Ｄを示したブロック図である。
【図１６】本発明の第６実施例の記録再生装置１００Ｅを示したブロック図である。
【図１７】累積再生時間６ｃ１、重み付けされた累積再生のみ時間６ｃ４と、重み付けされた累積記録のみ時間６ｃ５と、重み付けされた累積重複時間６ｃ６の一例を示した説明図である。
【図１８】記録先ＨＤＤを決定する動作を説明するためのフローチャートである。
【図１９】本発明の第７実施例の記録再生装置１００Ｆを示したブロック図である。
【符号の説明】
【０２００】
１００、１００Ａ〜１００Ｆ  記録再生装置
１〜３  ＨＤＤ
４      ＴＶチューナー
５      エンコーダ
６      メモリ
６ａ    録画用ＡＶストリームデータ格納部
６ｂ    再生用ＡＶストリームデータ格納部
６ｃ、６ｃＡ、６ｃＢ  再生Ｒ録画Ｗ累積時間情報格納部
６ｄ    録画情報格納部
６ｅ    再生実績格納部
７      チップセット
８      操作入力部
９      タイマー
１０      ＣＰＵ
１０ａ    ＨＤＤ録画情報処理部
１０ｂ    ＨＤＤ決定処理部
１０ｂ１  判断部
１０ｂ２〜１０ｂ８  記録先決定部
１０ｃ    ＨＤＤ切替処理部
１０ｄ    録画Ｗ書込処理部
１０ｅ、１０ｅ１、１０ｅ２  録画Ｗ時間処理部
１０ｆ    再生Ｒ読出処理部
１０ｇ、１０ｇ１、１０ｇ２  再生Ｒ時間処理部
１０ｈ    ファイルシステム
１１      デコーダ
１２      ＴＶ
【図１】
2008090887.tif 000003
【図２】
2008090887.tif 000004
【図３】
2008090887.tif 000005
【図４】
2008090887.tif 000006
【図５】
2008090887.tif 000007
【図６】
2008090887.tif 000008
【図７】
2008090887.tif 000009
【図８】
2008090887.tif 000010
【図９】
2008090887.tif 000011
【図１０】
2008090887.tif 000012
【図１１】
2008090887.tif 000013
【図１２】
2008090887.tif 000014
【図１３】
2008090887.tif 000015
【図１４】
2008090887.tif 000016
【図１５】
2008090887.tif 000017
【図１６】
2008090887.tif 000018
【図１７】
2008090887.tif 000019
【図１８】
2008090887.tif 000020
【図１９】
2008090887.tif 000021